(57)【要約】【課題】正確な照明情報を簡単に取得できる照明情報計測装置を提供する。【解決手段】ドーム状部材20と、ドーム状部材20をそのドーム面を通る回転軸Cを中心に回転させる回転部40と、ドーム状部材20に照射される照明光の照明情報を計測する計測部(30,60,70,80)と、を備え、ドーム状部材20は、回転部40による回転軌跡が互いに交差しないように形成された複数の採光孔21を有し、計測部(30,60,70,80)は、回転部40によるドーム状部材20の回転周面上において複数の採光孔21からそれぞれ入射する光を受光して照明情報を計測する。【選択図】図１
2015219151.tif 000002
【特許請求の範囲】
【請求項１】
ドーム状部材と、
該ドーム状部材をそのドーム面を通る回転軸を中心に回転させる回転部と、
前記ドーム状部材に照射される照明光の照明情報を計測する計測部と、を備え、
前記ドーム状部材は、前記回転部による回転軌跡が互いに交差しないように形成された複数の採光孔を有し、
前記計測部は、前記回転部による前記ドーム状部材の回転周面上において複数の前記採光孔からそれぞれ入射する光を受光して前記照明情報を計測する、
照明情報計測装置。
【請求項２】
請求項１に記載の照明情報計測装置において、
前記計測部は、
複数の前記採光孔にそれぞれ入射端部が結合され、対応する前記採光孔から入射する光を導光する複数の光ファイバと、
複数の前記光ファイバから導光される光を順次選択する光選択部と、
該光選択部で選択された光を受光する光センサと、を備える、ことを特徴とする照明情報計測装置。
【請求項３】
請求項２に記載の照明情報計測装置において、
複数の前記光ファイバは、各々の射出端部が前記ドーム状部材の前記回転軸を中心とする同一円周上に配列されて前記ドーム状部材に保持されており、
前記光選択部は、
光選択孔を有する遮光板と、
該遮光板を前記ドーム状部材の前記回転軸を中心として回転させて、複数の前記光ファイバから導光される光を前記光選択孔から順次射出させる遮光板回転部と、を備える、ことを特徴とする照明情報計測装置。
【請求項４】
請求項１に記載の照明情報計測装置において、
前記計測部は、
複数の前記採光孔からそれぞれ入射する光を受光するように前記ドーム状部材に保持された複数の光センサを備える、ことを特徴とする照明情報計測装置。
【請求項５】
請求項１乃至４のいずれか一項に記載の照明情報計測装置において、
前記回転部は、超音波モータにより前記ドーム状部材を回転させる、ことを特徴とする照明情報計測装置。
【請求項６】
請求項３に記載の照明情報計測装置において、
前記遮光板回転部は、超音波モータにより前記遮光板を回転させる、ことを特徴とする照明情報計測装置。
【請求項７】
請求項１乃至６のいずれか一項に記載の照明情報計測装置において、
前記ドーム状部材は、表面にミラー面を有し、
前記計測部は、前記ミラー面を撮像するデジタルカメラをさらに備える、ことを特徴とする照明情報計測装置。
【請求項８】
請求項７に記載の照明情報計測装置において、
前記計測部は、前記デジタルカメラにより撮像される前記ミラー面の画像情報と前記照明情報とを相関させる情報処理制御部をさらに備える、ことを特徴とする照明情報計測装置。
【請求項９】
請求項８に記載の照明情報計測装置において、
前記計測部は、前記ドーム状部材から被写体までの距離を計測する測距センサをさらに備える、ことを特徴とする照明情報計測装置。
【請求項１０】
請求項９に記載の照明情報計測装置において、
前記情報処理制御部は、前記デジタルカメラにより撮像される前記ミラー面の画像情報と、前記照明情報と、前記測距センサにより計測される測距情報とを相関させる、ことを特徴とする照明情報計測装置。
【発明の詳細な説明】
【技術分野】
【０００１】
本発明は、照明情報計測装置に関するものである。
【背景技術】
【０００２】
例えば、テレビジョン番組制作や映画制作などの映像制作分野では、デジタル技術を駆使した映像加工や合成などが頻繁に行われている。特に、高度なＣＧ（Computer Graphics）合成や多重合成を行うＶＦＸ（Visual Effects）制作では、自然な映像を生成するために照明情報が重要である。
【０００３】
従来、背景のＣＧに前景の実写映像を合成するに際して、背景のＣＧの照明量を把握して、前景の実写に対する照明位置及び照明量を決定し、決定した照明位置及び照明量を得るための照明装置（例えば、プロジェクタ）からの光線を割り出して前景の照明量を制御するようにした合成映像生成システムが知られている（例えば、特許文献１参照）。この合成映像生成システムによると、背景の照明量と前景の照明量とを合致させることができるので、背景のＣＧと前景となる被写体の映像との違和感のない合成映像を生成することが可能となる。
【０００４】
一方、実写映像にＣＧを合成するに際しては、多くの場合、見た目の印象でＣＧの照明を調節して感覚的にはめ込むことが行われている。また、最近では、撮影現場に球状のミラーや灰色に塗装された球を持ち込み、これを被写体の位置に設置してデジタルカメラで撮影し、その撮影画像を後のポストプロダクション時の参考にするなどの方法も採られている。
【０００５】
また、建築分野においては、建物の設計の際にＣＡＤ（Computer Aided Design）を用いて照明器具の種類や配置等の照明環境をシミュレーションし、建物の完成後に照度計等を用いて照明状態を測定して照明情報を取得し、これにより完成後の建物の照明環境を評価することが行われている。
【先行技術文献】
【特許文献】
【０００６】
【特許文献１】特開２０１０−２６８２８５号公報
【発明の概要】
【発明が解決しようとする課題】
【０００７】
しかしながら、映像制作分野において、見た目の印象やデジタルカメラによる撮影画像を参考にＣＧの照明を調節して、実写映像にＣＧを感覚的にはめ込む手法では、完成度の高い映像を制作するのは困難であり、効率も悪い。特に、最近の映像制作分野では、デジタル技術の目覚しい発展によって、実写では撮影できない精細なＣＧを制作することが可能になっていることから、このようなＣＧを実写映像に違和感なく、自然な映像として合成するのは、より困難であり、時間もかかることになる。
【０００８】
また、建築分野においては、建物の完成後に設計通りの照明施工ができているのか、所期の照明環境が得られているのか等を定量的に評価することが望まれている。こうした照明情報を容易に取得し蓄積することができれば、設計時のノウハウとして有効に役立てられるだけでなく、効率的な作業の実現に大きな効果が期待できる。しかし、照度計等を用いて測定される照明情報は部分的であるため、周囲環境全体の照明情報を得るには、複数個所で照明状態を測定する必要があり、測定が面倒となり、時間もかかる。
【０００９】
したがって、かかる観点に鑑みてなされた本発明の目的は、正確な照明情報を簡単に取得できる照明情報計測装置を提供することを目的とするものである。
【課題を解決するための手段】
【００１０】
上記目的を達成する本発明に係る照明情報計測装置は、
ドーム状部材と、
該ドーム状部材をそのドーム面を通る回転軸を中心に回転させる回転部と、
前記ドーム状部材に照射される照明光の照明情報を計測する計測部と、を備え、
前記ドーム状部材は、前記回転部による回転軌跡が互いに交差しないように形成された複数の採光孔を有し、
前記計測部は、前記回転部による前記ドーム状部材の回転周面上において複数の前記採光孔からそれぞれ入射する光を受光して前記照明情報を計測する、ものである。
【００１１】
前記計測部は、
複数の前記採光孔にそれぞれ入射端部が結合され、対応する前記採光孔から入射する光を導光する複数の光ファイバと、
複数の前記光ファイバから導光される光を順次選択する光選択部と、
該光選択部で選択された光を受光する光センサと、を備えるとよい。
【００１２】
複数の前記光ファイバは、各々の射出端部が前記ドーム状部材の前記回転軸を中心とする同一円周上に配列されて前記ドーム状部材に保持されており、
前記光選択部は、
光選択孔を有する遮光板と、
該遮光板を前記ドーム状部材の前記回転軸を中心として回転させて、複数の前記光ファイバから導光される光を前記光選択孔から順次射出させる遮光板回転部と、を備えるとよい。
【００１３】
前記計測部は、
複数の前記採光孔からそれぞれ入射する光を受光するように前記ドーム状部材に保持された複数の光センサを備えてもよい。
【００１４】
前記回転部は、超音波モータにより前記ドーム状部材を回転させるとよい。
【００１５】
前記遮光板回転部は、超音波モータにより前記遮光板を回転させるとよい。
【００１６】
前記ドーム状部材は、表面にミラー面を有し、
前記計測部は、前記ミラー面を撮像するデジタルカメラをさらに備えるとよい。
【００１７】
前記計測部は、前記デジタルカメラにより撮像される前記ミラー面の画像情報と前記照明情報とを相関させる情報処理制御部をさらに備えてもよい。
【００１８】
前記計測部は、前記ドーム状部材から被写体までの距離を計測する測距センサをさらに備えてもよい。
【００１９】
前記情報処理制御部は、前記デジタルカメラにより撮像される前記ミラー面の画像情報と、前記照明情報と、前記測距センサにより計測される測距情報とを相関させるとよい。
【発明の効果】
【００２０】
本発明によれば、正確な照明情報を簡単に取得できる照明情報計測装置を提供することができる。
【図面の簡単な説明】
【００２１】
【図１】第１実施の形態に係る照明情報計測装置の要部の概略構成を示す側面図である。
【図２】図１のドーム状部材の平面図である。
【図３】図１の底面部材の平面図である。
【図４】図１の遮光板の平面図である。
【図５】図１の光センサの概略構成を示す図である。
【図６】図１の照明情報計測装置の回路構成を示す機能ブロック図である。
【図７】第２実施の形態に係る照明情報計測装置の要部の概略構成を示す図である。
【図８】図７の照明情報計測装置の回路構成を示す機能ブロック図である。
【図９】第３実施の形態に係る照明情報計測装置の要部の概略構成を示す側面図である。
【図１０】図９の照明情報計測装置により取得される情報の使用例を説明するための図である。
【図１１】第４実施の形態に係る照明情報計測装置の要部の概略構成を示す側面図である。
【発明を実施するための形態】
【００２２】
以下、本発明の実施の形態について、図を参照して説明する。
【００２３】
（第１実施の形態）
図１は、第１実施の形態に係る照明情報計測装置の要部の概略構成を示す側面図である。照明情報計測装置１０は、ドーム状部材２０を備える。ドーム状部材２０は、例えば透明又は不透明なプラスチック等で半球面状に形成され、頂点を通る回転軸Ｃを中心に回転可能である。ドーム状部材２０には、それぞれ照明光の測定位置となる複数の採光孔２１が形成されている。複数の採光孔２１は、ドーム状部材２０の回転による回転軌跡が互いに交差しないように形成されている。本実施の形態では、図２にドーム状部材２０の平面図をも示すように、１０個の採光孔２１を螺旋状に形成した場合を例示している。なお、複数の採光孔２１は、螺旋状に限らず、一本又は複数本の経線に沿って形成してもよい。また、採光孔２１は、１０個に限らず、ドーム状部材２０の大きさ等に応じて適宜の個数とすることができる。採光孔２１の個数は、多いほどより精細に照明情報を取得することが可能となる。
【００２４】
各採光孔２１には、ドーム状部材２０の内面側において、当該採光孔２１から入射する照明光を導光する光ファイバ３０の入射端部３１ａが結合されている。なお、図１では、図を明瞭とするため、一部の光ファイバ３０及び入射端部３１ａを示している。入射端部３１ａには、対応する採光孔２１から採光する照明エリアを調整するレンズが設けられてもよい。各光ファイバ３０の射出端部３１ｂは、ドーム状部材２０の底面部材２２に保持される。底面部材２２は、例えば不透明な金属等からなり、図３に平面図を示すように、ドーム状部材２０の回転軸Ｃを中心とする同一円周上に光ファイバ３０の数に対応する複数の開口２３が形成され、その各開口２３に光ファイバ３０の射出端部３１ｂが結合されている。
【００２５】
ドーム状部材２０は、超音波モータ４０により回転軸Ｃを中心に回転される。超音波モータ４０は、回転部を構成するもので、対向するリング状のロータ４１とリング状のステータ４２とを有する。ロータ４１には、ドーム状部材２０の底面部材２２が結合される。ステータ４２は、円筒状の支持部材４３を介して筐体５０の上面５１に支持される。なお、ロータ４１及びステータ４２の内径は、ドーム状部材２０の底面部材２２に形成された開口２３の全てが、ロータ４１及びステータ４２の内径に入る大きさを有している。
【００２６】
支持部材４３内で、筐体５０の上面５１と超音波モータ４０との間には、光選択部を構成する遮光板６０と超音波モータ７０とが配置されている。超音波モータ７０は、遮光板６０を回転させる遮光板回転部を構成するもので、対向するリング状のロータ７１とリング状のステータ７２とを有し、超音波モータ４０と同心状に配置される。遮光板６０はロータ７１に支持され、ステータ７２は筐体５０の上面５１に支持される。なお、ロータ７１及びステータ７２の内径は、超音波モータ４０と同様に、ドーム状部材２０の底面部材２２に形成された開口２３の全てが、ロータ７１及びステータ７２の内径に入る大きさを有している。
【００２７】
遮光板６０には、図４に平面図を示すように、一つの光選択孔６１が形成されている。光選択孔６１は、ドーム状部材２０の底面部材２２に形成された開口２３とほぼ同じ大きさで、ドーム状部材２０の回転軸Ｃから開口２３と同じ距離を隔てた位置に形成される。これにより、遮光板６０が超音波モータ７０によりドーム状部材２０の回転軸Ｃを中心に回転されると、光選択孔６１がドーム状部材２０の底面部材２２の複数の開口２３に順次対向して、各光ファイバ３０から導光される照明光が光選択孔６１から順次選択されて射出される。
【００２８】
筐体５０には、上面５１に遮光板６０の光選択孔６１を経て射出される照明光を通過させる開口５２が形成されており、内部に開口５２を経て入射する照明光を受光する一つの光センサ８０が配置されている。また、超音波モータ７０のステータ７２の内周側には、必要に応じて遮光板６０の光選択孔６１を透過した照明光を光センサ８０に導く反射ミラーやプリズム等の光偏向部材９０が配置される。なお、遮光板６０の光選択孔６１には、開口２３を経て入射する照明光を光センサ８０に集光させるレンズが装着されてもよい。
【００２９】
図５は、光センサ８０の概略構成を示す図である。光センサ８０は、白色フィルタ８１、レンズ群８２、ビームスプリッタ８３、受光素子８４、分光器８５及び信号処理部８６を備える。光センサ８０は、入射する照明光を白色フィルタ８１及びレンズ群８２を経てビームスプリッタ８３に入射させて透過光と反射光とに分離し、透過光を受光素子８４で受光し、反射光を分光器８５に入射させる。
【００３０】
受光素子８４及び分光器８５の出力は、それぞれ信号処理部８６に入力される。信号処理部８６は、受光素子８４の出力に基づいて入射した照明光の輝度（照度）を計測し、分光器８５から得られる照明光の波長成分ごとのスペクトル出力に基づいて照明光の色彩（色温度）を計測する。
【００３１】
図１に示す照明情報計測装置１０は、光センサ８０に、ドーム状部材２０の各採光孔２１から採光される照明光のみが入射するように、適宜、遮光処理が施される。
【００３２】
図６は、本実施の形態に係る照明情報計測装置１０の回路構成を示す機能ブロック図である。照明情報計測装置１０は、超音波モータ４０の駆動を制御するモータ制御部１０１と、超音波モータ７０の駆動を制御するモータ制御部１０２と、光センサ８０のインターフェース（ＩＦ）回路１０３と、全体の動作を制御する情報処理制御部１０４とを備える。情報処理制御部１０４は、例えばパーソナルコンピュータ（ＰＣ）を用いてＰＣ上で実行されるソフトウェアとして構成したり、専用のプロセッサ（例えば、ＤＳＰ（デジタルシグナルプロセッサ））によって構成したりすることができる。
【００３３】
情報処理制御部１０４は、ドーム状部材２０を所定角度ごと、例えば１０度ごと間欠的に回動させるように、モータ制御部１０１により超音波モータ４０を駆動制御して、ドーム状部材２０を１回転させる。また、情報処理制御部１０４は、超音波モータ４０によるドーム状部材２０の各間欠回動停止位置において、遮光板６０を１回転させるように、モータ制御部１０２により超音波モータ７０を駆動制御する。これにより、複数の光ファイバ３０から導光される照明光が順次選択して光センサ８０に入射される。なお、報処理制御部１０４は、遮光板６０の光選択孔６１がドーム状部材２０の底面部材２２に形成された同一円周上の複数の開口２３に順次対向するように、超音波モータ７０を間欠的に回動させてもよいし、連続的に回転させてもよい。
【００３４】
また、情報処理制御部１０４は、光センサ８０から得られる各光ファイバ３０からの照明光、すなわち各測定位置に対応する照明光の輝度データ及び色彩データを、ＩＦ回路１０３を経て取り込んで内蔵メモリやＳＤメモリカード等の可搬性の外部メモリに記憶する。あるいは、情報処理制御部１０４からネットワークを介して所定のサーバに送信して記憶させる。
【００３５】
情報処理制御部１０４は、上述のように、ドーム状部材２０を所定角度ごと間欠的に回動させて１回転させ、その各間欠回動停止位置において遮光板６０を１回転させることにより、ドーム状部材２０の回転周面上における各方向からの照明光の情報を得ることができる。したがって、本実施の形態において、計測部は、光ファイバ３０、遮光板６０、超音波モータ７０、光センサ８０及び情報処理制御部１０４を含んで構成される。
【００３６】
本実施の形態に係る照明情報計測装置１０は、例えばテレビジョン番組制作や映画制作などの撮影現場において、被写体位置又はその近傍に設置される。これにより、実空間での被写体周囲の正確な照明情報を簡単に取得することができる。したがって、ポストプロダクションにおいてＣＧ合成を行う場合、ＣＧソフトウェア上でオブジェクトに照射される照明条件を、照明情報計測装置１０により取得した照明情報に基づいて実空間と同様に設定することが可能となり、ＶＦＸ映像制作などにおいて、実写映像にＣＧを違和感なく、自然な映像として効率よく短時間で緻密に合成することができる。したがって、生成される映像のクオリティを著しく向上することができるので、ドラマ番組や情報番組、報道番組など、様々な番組において効果的な映像を制作できるようになり、視聴者本位の魅力ある番組作りに大きく貢献することができる。
【００３７】
また、建築分野における照明環境の評価に適用することもできる。例えば、建物が完成して照明施工が終了した後に、建物内の所望の空間に照明情報計測装置１０を配置することで、周囲の正確な照明情報を得ることができる。これにより、設計通りの照明施工ができているか、所期の照明環境が得られているか等を定量的に評価することができる。また、建物の設計データと完成後に実測された照明情報とを関連して蓄積することで、蓄積情報を次の設計時のノウハウとして有効に役立てることができ、効率的な作業の実現に寄与することができる。
【００３８】
（第２実施の形態）
図７（ａ）、（ｂ）及び（ｃ）は、第２実施の形態に係る照明情報計測装置の要部の概略構成を示す正面図、平面図及び右側面図である。以下、第１実施の形態と異なる点について主として説明する。本実施の形態に係る照明情報計測装置１１は、ドーム状部材２０が複数枚の板状部材２４と、それらを支持する半円形部材２５とによりアーチ状に形成されている。図７は、６枚の板状部材２４を有する場合を例示している。各板状部材２４には、それぞれ採光孔２１が形成されているとともに、採光孔２１を透過した照明光を受光する光センサ８０が取り付けられている。なお、採光孔２１は、第１実施の形態の場合と同様に、ドーム状部材２０の回転による回転軌跡が互いに交差しないように形成されている。また、各採光孔２１から採光する照明エリアは、対応する各光センサ８０のレンズ群８２（図５参照）により調整することができる。
【００３９】
ドーム状部材２０は、支持部材２６を介して超音波モータ４０のロータ４１に支持される。超音波モータ４０のステータ４２は、基台１１０に固定される。
【００４０】
図８は、本実施の形態に係る照明情報計測装置１１の回路構成を示す機能ブロック図である。複数の光センサ８０は、ＩＦ回路１０３を介して情報処理制御部１０４に接続される。また、超音波モータ４０は、モータ制御部１０１を介して情報処理制御部１０４により駆動が制御される。したがって、本実施の形態において、計測部は、複数の光センサ８０及び情報処理制御部１０４を含んで構成される。
【００４１】
本実施の形態に係る照明情報計測装置１１は、ドーム状部材２０を所定角度ごと、例えば１０度ごとに間欠的に回動させながら１回転させる。そして、各間欠回動停止位置において、複数の光センサ８０により対応する採光孔２１から入射した照明光の輝度及び色彩の照明情報を同時に測定し、それらの測定データを情報処理制御部１０４に取り込む。したがって、本実施の形態によれば、第１実施の形態による効果に加えて、ドーム状部材２０の回転周面上における各方向からの照明光の情報をよりも迅速に得ることができる。
【００４２】
（第３実施の形態）
図９は、第３実施の形態に係る照明情報計測装置の要部の概略構成を示す側面図である。本実施の形態に係る照明情報計測装置１２は、第１実施の形態の照明情報計測装置１０において、ドーム状部材２０の表面をミラー面２７として形成し、そのミラー面２７に写る周囲像をドーム状部材２０の上方からデジタルカメラ１２０で撮像する。デジタルカメラ１２０は、ステー部材１２１を介して筐体５０に支持される。
【００４３】
デジタルカメラ１２０は、図６に示した情報処理制御部１０４により撮影動作が制御されて、撮像された画像の画像情報が情報処理制御部１０４に取り込まれる。したがって、本実施の形態において、計測部はデジタルカメラ１２０を含んで構成される。その他の構成及び動作は第１実施の形態と同様であるので説明を省略する。
【００４４】
本実施の形態に係る照明情報計測装置１２は、光センサ８０による照明情報の計測時刻に応じて、ドーム状部材２０の表面に写る周囲像をデジタルカメラ１２０で撮像して、照明情報と画像情報とを相関させる。このようにすれば、画像情報に基づいて、照明情報の計測時間と対応する時間における実空間での被写体周囲の環境及び照明光源の位置を把握することができる。ドーム状部材２０に形成される採光孔２１は、図では誇張して大径に示しているが、実際には小径であるので、周囲環境を判別することに支障はなく、照明光源の位置を正確に特定することが可能である。
【００４５】
したがって、ポストプロダクションにおいてＣＧ合成を行う場合、実空間での原点を照明情報計測装置１０の設置位置と仮定すると、照明光源の位置は、図１０（ａ）に示すように極座標系ｘｙｚにおいて方位角θ、仰角φの位置Ｐで表すことができる。また、図１０（ｂ）に示すように、仮想空間ｘｙｚでの照明光源の位置は、仮想空間ｘｙｚでの原点を実空間での原点に一致させれば、同様に方位角θ、仰角φの位置Ｐで表される。これにより、ＣＧソフトウェア上でオブジェクトに照射される照明条件を、照明情報計測装置１２により取得した照明情報に基づいて実空間と同様に設定することが可能となり、ＶＦＸ映像制作などにおいて、実写映像にＣＧをより違和感なく、より自然な映像として合成することができる。
【００４６】
（第４実施の形態）
図１１は、第４実施の形態に係る照明情報計測装置の要部の概略構成を示す側面図である。本実施の形態に係る照明情報計測装置１３は、被写体１３０から離れた位置（例えば、テレビジョンカメラの位置）に設置されるもので、第３実施の形態の照明情報計測装置１２において、ドーム状部材２０から被写体１３０までの距離を計測する測距センサ１４０をさらに備える。測距センサ１４０は、光学式や超音波式等の公知の構成のものが使用可能であり、デジタルカメラ１２０によるドーム状部材２０の撮影に支障とならない位置に設置される。図１１は、ドーム状部材２０を支持する支持部材４３に測距センサ１４０を設置した場合を例示している。
【００４７】
測距センサ１４０は、図６に示した情報処理制御部１０４により計測動作が制御されて、計測された測距情報が情報処理制御部１０４に取り込まれる。したがって、本実施の形態において、計測部は測距センサ１４０を含んで構成される。その他の構成及び動作は第３実施の形態と同様であるので説明を省略する。
【００４８】
本実施の形態に係る照明情報計測装置１３は、光センサ８０による照明情報の計測時刻に応じて、ドーム状部材２０の表面に写る周囲像をデジタルカメラ１２０で撮像するとともに、測距センサ１４０により被写体１３０までの距離を計測して、照明情報、画像情報及び測距データとを相関させる。このようにすれば、光センサ８０から設置位置周囲の実空間での正確な照明情報を簡単に取得でき、デジタルカメラ１２０による画像情報から周囲の環境及び照明光源１５０の位置を把握することができる。また、測距センサ１４０から、照明情報の計測時間及び画像情報の取得時間と対応する時間における計測点（設置位置）から被写体１３０までの距離Ｄの測距情報（奥行き情報）を取得することができる。
【００４９】
したがって、ポストプロダクションにおいてＣＧ合成を行う場合、主な照明光源１５０の高さＨを別途計測し、変換係数として予めＣＧソフトウェアに入力しておけば、計測点と対象点（被写体１３０の位置）とが離れている場合においても、照明情報を計算によって求めることができる。これにより、第１実施の形態の場合と同様の効果が得られる。また、本実施の形態による照明情報計測装置１３は、測距センサ１４０を有することから、任意の位置に設置でき、設置の自由度を向上できる利点もある。
【００５０】
なお、本発明は、上記実施の形態にのみ限定されるものではなく、幾多の変形または変更が可能である。例えば、光センサ８０で計測する照明情報は、輝度のみ又は色彩のみであってもよい。また、ドーム状部材２０を回転させる回転部は、超音波モータ４０に限らず静電モータや電磁モータを用いて構成してもよい。例えば、ドーム状部材２０の底部外周にギアを設け、このギアに電磁モータの出力軸に取り付けたピニオンギアを噛合させてドーム状部材２０を回転させるように構成してもよい。遮光板６０を回転させる遮光板回転部についても同様である。また、第２実施の形態においては、ドーム状部材２０を電磁モータの回転軸に結合してもよい。また、第３実施の形態において取得される照明情報及び画像情報や、第４実施の形態で取得される照明情報、画像情報及び測距情報は、照明情報計測装置側で必ずしも相関させる必要はなく、各情報を取得した時間情報と対応させることで、ＣＧソフトウェア上で相関させるようにしてもよい。
【符号の説明】
【００５１】
１０、１１、１２、１３  照明情報計測装置
２０  ドーム状部材
２１  採光孔
２７  ミラー面
３０  光ファイバ
４０  超音波モータ
６０  遮光板
６１  光選択孔
７０  超音波モータ
８０  光センサ
１０４  情報処理制御部
１２０  デジタルカメラ
１４０  測距センサ
【図１】
2015219151.tif 000003
【図２】
2015219151.tif 000004
【図３】
2015219151.tif 000005
【図４】
2015219151.tif 000006
【図５】
2015219151.tif 000007
【図６】
2015219151.tif 000008
【図７】
2015219151.tif 000009
【図８】
2015219151.tif 000010
【図９】
2015219151.tif 000011
【図１０】
2015219151.tif 000012
【図１１】
2015219151.tif 000013